(57)【要約】      （修正有）【課題】液体の塗布量を容易かつ正確に測定することができると共に、測定可能な膜厚の範囲を広げることのできる液体塗布量測定器具を提供する。【解決手段】液体塗布量測定器具１０は、ガラス製で上面が水平な下側凸レンズ１１と、同じくガラス製で下面が水平な上側凸レンズ１２と、両凸レンズ１１，１２の水平面１１ａ，１２ａの間に挟み込まれる透明シート１３と、この透明シート１３を挟み込んで重ね合わされた両凸レンズ１１，１２の重なり部分の外側に嵌合されるホールド用リング１４とから組み立てられている。透明シート１３は、ホールド用リング１４の内径に収まる様に、両凸レンズ１１，１２の水平面１１ａ，１２ａの直径より極僅かに小さい直径の円形で、中心部に目盛りマーク２０が印刷された合成樹脂製シートで構成されている。【選択図】図１
0003142171.tif 000002
【実用新案登録請求の範囲】
【請求項１】
透明な材料で下面を球面状に形成された液体接触面を計測対象物の表面に当接させたときに、前記液体接触面を介して液体との接触部分の計測値として観測される直径や面積等の情報から、前記計測対象物の表面に塗布されている液体の塗布量を測定する器具であって、以下の構成を備えたことを特徴とする液体塗布量測定器具。
（１）下面及び上面が共に外に向かって凸となり、中心部に同心円状の目盛りマークが埋設された凸レンズによって構成された本体を備えていること。
【請求項２】
さらに、以下の様に構成されていることを特徴とする請求項１記載の液体塗布量測定器具。
（２−１）前記本体が、上面が水平な下側凸レンズと、下面が水平な上側凸レンズと、両レンズの水平面間に挟み込まれる透明シートと、該透明シートを挟み込んで重ね合わされた前記下側凸レンズ及び上側凸レンズの重なり部分の外側に嵌合されるホールド用リングとからなる組立体として構成されていること。
（２−２）前記下側凸レンズと上側凸レンズは、平面視において同一直径となる様に側面が面取りされた形状とされ、前記ホールド用リングは、前記両凸レンズを重ね合わせたときに形成される円筒面の外径とほぼ等しい内径を有する合成樹脂成形品で構成され、前記透明シートは、前記ホールド用リングの内径に収まる直径の円形で中心部に前記目盛りマークが印刷されたものとして構成されていること。
【請求項３】
さらに、以下の様に構成されていることを特徴とする請求項２記載の液体塗布量測定器具。
（３）前記透明シートには、目盛りマークとして円弧を同心円状に配置すると共に、液体塗布量をｇ／ｍ２  の単位でそのまま読み取ることのできる換算値が前記円弧との対応関係が理解できる様に併記されていること。
【請求項４】
さらに、以下の様に構成されていることを特徴とする請求項３記載の液体塗布量測定器具。
（４）前記両凸レンズは、下側凸レンズの曲率よりも上側凸レンズの曲率の方が大きくなる様に形成されていること。
（５）前記両凸レンズは、片手で持てる程度の直径のガラス製であること。
【考案の詳細な説明】
【技術分野】
【０００１】
本考案は、鋼板などの平板に塗布された油などの液体の塗布量を、簡易に測定するための測定器具に関するものである。
【背景技術】
【０００２】
この種の測定器具として、図５に示す様に、球面で構成されたガラス製の皿３と、皿３の中心を通る様に取り付けられた帯状の目盛り５とを備えたものが提案されている（特許文献１）。
【０００３】
この測定器具は、油２が塗布された平板１の上に置き、軽く押さえつけた状態での皿３と油２との接触面積から塗布厚を測定するものである。
【特許文献１】特開２００４−３４７４２８号公報（要約，図１〜３）
【考案の開示】
【考案が解決しようとする課題】
【０００４】
ここで、特許文献１に記載されている測定器具は、皿３の曲率半径を大きくすることで薄い液体層の測定も可能とすることができる。
【０００５】
しかし、皿３の曲率半径を大きくすると毛細管効果及び表面張力によって接触面積が広がってしまい、油の塗布量が実際よりも大きく測定されてしまうという問題がある。その一方、皿３の曲率半径を小さくすると、測定可能な膜厚の範囲が限られると共に、肉眼での測定が困難になるという問題がある。
【０００６】
加えて、特許文献１に記載されている測定器具は、計測に当たっての取り扱いが不便であるという問題もある。
【０００７】
そこで、本考案は、液体の塗布量を正確に測定することができると共に、測定可能な膜厚の範囲を広げることも可能で、測定に当たっての取り扱い、目盛りの読み取りを容易にすることを目的としてなされたものである。
【課題を解決するための手段】
【０００８】
上記目的を達成するためになされた本考案の液体塗布量測定器具は、透明な材料で下面を球面状に形成された液体接触面を計測対象物の表面に当接させたときに、前記液体接触面を介して液体との接触部分の計測値として観測される直径や面積等の情報から、前記計測対象物の表面に塗布されている液体の塗布量を測定する器具であって、以下の構成を備えたことを特徴とする。
（１）下面及び上面が共に外に向かって凸となり、中心部に同心円状の目盛りマークが埋設された凸レンズによって構成された本体を備えていること。
【０００９】
本考案の液体塗布量測定器具によれば、目盛りマークは上面の凸レンズを介して読むことができる。従って、薄い液体層を計測するためにピッチを細かくした目盛りとしてあってもこれを容易に読み取ることができる。また、この目盛りが同心円状に形成されているので、計測対象物の表面に塗布された液体との接触によって形成される円形の接触部分の中心と目盛りマークの中心とを一致させることによって、計測器具の押し当て状態を最適な状態とすることもできる。よって、液体の塗布量を正確に測定することができる。
【００１０】
ここで、本考案の液体塗布量測定器具は、さらに、以下の様に構成すると、その製造が容易である。
（２−１）前記本体が、上面が水平な下側凸レンズと、下面が水平な上側凸レンズと、両レンズの水平面間に挟み込まれる透明シートと、該透明シートを挟み込んで重ね合わされた前記下側凸レンズ及び上側凸レンズの重なり部分の外側に嵌合されるホールド用リングとからなる組立体として構成されていること。
（２−２）前記下側凸レンズと上側凸レンズは、平面視において同一直径となる様に側面が面取りされた形状とされ、前記ホールド用リングは、前記両凸レンズを重ね合わせたときに形成される円筒面の外径とほぼ等しい内径を有する合成樹脂成形品で構成され、前記透明シートは、前記ホールド用リングの内径に収まる直径の円形で中心部に前記目盛りマークが印刷されたものとして構成されていること。
【００１１】
また、本考案の液体塗布量測定器具は、さらに、以下の様に構成すると、容易に正確な計測を行うことが可能になる。
（３）前記透明シートには、目盛りマークとして円弧を同心円状に配置すると共に、液体塗布量をｇ／ｍ２  の単位でそのまま読み取ることのできる換算値が前記円弧との対応関係が理解できる様に併記されていること。
【００１２】
さらに、本考案の液体塗布量測定器具は、さらに、以下の様に構成すると、取り扱いが容易であると共に測定可能な膜厚の範囲を広げることができる。
（４）前記両凸レンズは、下側凸レンズの曲率よりも上側凸レンズの曲率の方が大きくなる様に形成されていること。
（５）前記両凸レンズは、片手で持てる程度の直径のガラス製であること。
【考案の効果】
【００１３】
本考案によれば、液体の塗布量を容易かつ正確に測定することができると共に、測定可能な膜厚の範囲を広げることができる。
【考案を実施するための最良の形態】
【００１４】
次に、本考案の実施の形態について説明する。実施形態の液体塗布量測定器具１０は、図１に示す様に、ガラス製で上面が水平な下側凸レンズ１１と、同じくガラス製で下面が水平な上側凸レンズ１２と、両凸レンズ１１，１２の水平面１１ａ，１２ａの間に挟み込まれる透明シート１３と、この透明シート１３を挟み込んで重ね合わされた両凸レンズ１１，１２の重なり部分の外側に嵌合されるホールド用リング１４とから組み立てられている。
【００１５】
ここで、下側凸レンズ１１と上側凸レンズ１２は、平面視において同一直径となる様に側面が面取りされた形状とされている。また、ホールド用リング１４は、両凸レンズ１１，１２を重ね合わせたときに形成される円筒面１１ｂ，１２ｂの外径とほぼ等しい内径を有すると共に円筒面の高さとほぼ等しい高さを有する形状の合成樹脂成形品で構成されている。そして、透明シート１３は、ホールド用リング１４の内径に収まる様に、両凸レンズ１１，１２の水平面１１ａ，１２ａの直径より極僅かに小さい直径の円形で、中心部に目盛りマーク２０が印刷された合成樹脂製シートで構成されている。
【００１６】
この透明シート１３に印刷された目盛りマーク２０は、図１（Ａ）に示す様に、円弧を同心円状に配置すると共に、液体塗布量をｇ／ｍ２  の単位でそのまま読み取ることのできる換算値が円弧との対応関係が理解できる様に併記されたものとして構成されている。
【００１７】
また、本実施形態の測定器具１０は、図１（Ｂ），（Ｃ）に示す様に、下側凸レンズ１１の曲率よりも上側凸レンズ１２の曲率の方が大きくなる様に形成されると共に、図２に示す様に、片手で持てる程度の大きさとされている。
【００１８】
ここで、透明シート１３としては、図３（Ａ）〜（Ｃ）に示す様に、計測対象面の粗さ等に応じて取り換えることが可能になっている。即ち、本実施形態の測定器具１０においては、標準タイプの０．３ｇ／ｍ２  、１ｇ／ｍ２  、２ｇ／ｍ２  、３ｇ／ｍ２  、４ｇ／ｍ２  の目盛りが印刷されたシート（図３（Ａ）参照）の他に、１ｇ／ｍ２  、１．５ｇ／ｍ２  、３ｇ／ｍ２  の目盛りだけの粗い面用のシート（図３（Ｂ）参照）、０．３ｇ／ｍ２  、０．５ｇ／ｍ２  、１ｇ／ｍ２  、２ｇ／ｍ２  、３ｇ／ｍ２  、４ｇ／ｍ２  の目盛りが印刷された微量測定用のシート（図３（Ｃ）参照）も、取り換え用として付属させた状態で提供される。
【００１９】
なお、標準タイプのシートの一番内側の円弧は赤色の線、その他の円弧を黒色の線とし、０．３ｇ／ｍ２  と外側に記載した文字を赤色とすることで、赤色の円弧が０．３ｇ／ｍ２  の目盛りであることを瞬時に理解できる様にしている。同様に、粗い面用のシートでは１ｇ／ｍ２  を赤、１．５ｇ／ｍ２  を青、３ｇ／ｍ２  を黒の線で印刷し、各色に合わせた色の数値情報を印刷することで、見やすくしている。同じく、微量測定用シートでは、０．３ｇ／ｍ２  を赤、０．５ｇ／ｍ２  を青、その他を黒で表記することにより、見やすくしている。
【００２０】
本考案の液体塗布量測定器具１０は、図４（Ａ）に示す様に、計測対象面３０に下側凸レンズ１１を接触させる様に置き、ペンライト３１で照らして液体の塗布量を計測する。このとき、図４（Ｂ）〜（Ｄ）に示す様に、液体との接触部分として白い円形に見える部分の外側直近の目盛りの数値を読み取ることによって、液体塗布量を容易に計測することができる。図４（Ｂ）の測定例は０．３ｇ／ｍ２  以下と、図４（Ｃ）の測定例は１．５ｇ／ｍ２  と、図４（Ｄ）の測定例は１ｇ／ｍ２  と読み取ることができる。
【００２１】
この実施形態によれば、接液側に曲率の小さなレンズ１１を、読み取り側には相対的に曲率の大きなレンズ１２を採用することにより、大倍率を得ることができ、かつ、目盛り２０の印刷された透明シートをレンズ間に挟み込む構成とすることにより、以下の様な効果が発揮される。
【００２２】
レンズ中心がとりやすいため、安定した計測が可能である。また、採光性に優れている。さらに、微少量に対しても拡大により目盛り２０が読み取り易い。加えて、シート１３の選択により、測定目的に応じた組み合わせが可能である。
【００２３】
接液点と目盛り２０との距離を小さくすることができるので、焦点が合わせやすい。片手で持てるサイズでありながらもレンズ全体を上下二分割されたガラス製とすることで、自重のみで正確に接液させた状態を実現することができる。
【００２４】
以上、本考案の一実施の形態について説明したが、本考案はこの実施の形態に限られるものではなく、その要旨を逸脱しない範囲内においてさらに種々の形態を採用することができることはもちろんである。
【図面の簡単な説明】
【００２５】
【図１】実施形態の液体塗布量測定器具を示し、（Ａ）は平面図、（Ｂ）は正面図、（Ｃ）は分解した状態の一部断面で示す正面図である。
【図２】実施形態の液体塗布量測定器具の外観や大きさを示すために手で持っている状態のデジタルカメラの撮像データから作成した説明図である。
【図３】実施形態の液体塗布量測定器具において付属品として提供される透明シートを例示する平面図及び一部拡大図である。
【図４】実施形態の液体塗布量測定器具の測定方法を示すためにデジタルカメラの撮像データから作成した説明図である。
【図５】従来技術の説明図である。
【符号の説明】
【００２６】
１０・・・液体塗布量測定器具
１１・・・下側凸レンズ
１２・・・上側凸レンズ
１１ａ，１２ａ・・・水平面
１１ｂ，１２ｂ・・・円筒面
１３・・・透明シート
１４・・・ホールド用リング
２０・・・目盛りマーク
３０・・・計測対象面
３１・・・ペンライト
【図１】
0003142171.tif 000003
【図２】
0003142171.tif 000004
【図３】
0003142171.tif 000005
【図４】
0003142171.tif 000006
【図５】
0003142171.tif 000007